(57)【要約】【課題】従来の音楽療法具は、自発的に所望する歌曲を演奏し、かつ歌うことで脳機能を回復させる療法であるため、失語症には効果的な療養とは言い難い問題があった。【解決手段】本発明は、絵データ、手本音声データ、文字データ等を有する言語カードデータベース１０と、文字データの文字数単位で分類した言語カードデータを更に複数のグループに分割した中から所望のグループを選択するグループ選択手段１２と、表示部に絵データを表示させる言語カード抽出表示手段１３と、音声検知起動手段１５で集音部を起動させて練習音声録音手段１６で録音した練習音声のデータと手本音声データとを比較して合否を判定する判定結果表示手段１７と、練習音声結果保存手段１９で練習音声のデータと判定結果を言語カードデータに対応させて言語カードデータベース１０に保存できる失語症練習支援装置１を提供することで解決する。【選択図】図１
2008298933.tif 000002
【特許請求の範囲】
【請求項１】
少なくとも絵データ、手本音声データ、文字データ、グループ属性データ、結果データとから成る複数の失語症の言語訓練の言語カードデータを管理する言語カードデータベースと、
前記文字データが文字数単位で分類された一覧から所望の文字数を選択する文字数選択手段と、
前記文字数単位に分類された前記文字データを更にグループ単位で分割した一覧から所望のグループを選択するグループ選択手段と、
選択された前記グループに属する前記失語症の言語訓練の言語カードデータを前記言語カードデータベースより抽出し、表示部に前記絵データを表示する言語カード抽出表示手段と、
集音部の電源をＯＮにする音声検知起動手段と、
表示された前記絵データに基づき失語症の練習者が発声する練習音声の音量を前記表示部にレベルメータ表示しながら前記失語症の練習者の練習音声を録音する練習音声録音手段と、
前記失語症の練習者の練習音声のデータと前記手本音声データとを比較し、予め設定した合否判定の基準値内であるかを判定し、その判定結果を表示部に表示する判定結果表示手段と、
前記失語症の練習者の練習音声と前記判定結果を前記失語症の言語訓練の言語カードデータに対応させて前記結果データに保存する練習音声結果保存手段とを有することを特徴とする失語症練習支援装置。
【請求項２】
前記言語カード抽出表示手段の後に、前記絵データに対応する前記文字データあるいは前記手本音声データを失語症の練習者にヒントとして出力するヒント出力手段が行われることを特徴とする請求項１に記載の失語症練習支援装置。
【請求項３】
前記判定結果表示手段の後に、前記練習音声録音手段で録音した前記失語症の練習者の練習音声のデータを再生させる練習音声再生手段が行われることを特徴とする請求項１に記載の失語症練習支援装置。
【請求項４】
前記表示部上にタッチパネルを設け、画面から直接前記文字数選択手段、前記グループ選択手段、前記音声検知起動手段、前記練習音声録音手段、前記ヒント出力手段、および前記練習音声再生手段に指示を与えられることを特徴とする請求項１乃至請求項３のいずれかに記載の失語症練習支援装置。
【請求項５】
前記判定結果表示手段は、前記失語症の言語訓練の言語カードデータ毎に合格した回数および練習した回数を前記表示部に並べて表示することを特徴とする請求項１に記載の失語症練習支援装置。
【請求項６】
前記判定結果表示手段は、前記言語カード抽出表示手段により言語訓練に一度利用した前記失語症の言語訓練の言語カードデータが再度抽出されると、前回の言語訓練の結果を前記言語カードデータベースより抽出して前記表示部に表示することを特徴とする請求項１に記載の失語症練習支援装置。
【請求項７】
前記言語カードデータベースの全ての言語カードデータあるいは前記グループ単位毎の言語カードデータの前記結果データに保存された前記失語症の練習者の練習音声のデータ及び前記判定結果は、前記タッチパネルを２回押下して一括リセットを指示できることを特徴とする請求項１に記載の失語症練習支援装置。
【請求項８】
前記ヒント出力手段により与えられる前記文字データは、失語症の練習者の指示により漢字あるいは片仮名表示から平仮名表示へと変換をして表示されることを特徴とする請求項１に記載の失語症練習支援装置。
【発明の詳細な説明】
【技術分野】
【０００１】
本発明は、失語症の回復を支援する練習支援装置に関し、特に、絵カードの文字数単位で分類された複数のグループの中から１つのグループを選択し、該グループに含まれる絵カードを練習支援装置に表示して失語症の練習者の練習音声を録音し、該練習音声と手本音声を比較して合否判定し、その判定結果を表示部に表示する失語症練習支援装置に関するものである。
【背景技術】
【０００２】
従来の脳機能障害を療養する装置には、歌曲の旋律の楽音や音声を発生して歌唱を促す音楽療法を用いたものがある。例えば音楽療法具は、歌曲の歌詞を表示する表示部と、該表示部に表示された歌詞にそれぞれ対応するスイッチ手段を有する操作部と、該操作部のスイッチ手段に接続した音階発生器とから構成される。要療養者は、自己の知っている楽曲が表示された表示部において、手、足の指その他の身体の一部若しくはマウス・スティックやＣＲＴ指示ペン等を用い、該表示部に示された歌詞の表示の近傍を押したり触れたりして順次指示する。これにより、スイッチ手段が作動して歌詞に対応する旋律を、音階発生器から楽音や音声で鳴らす。要療養者が過去に馴染んでいる歌詞を順次指示して行くだけで歌詞に対応する旋律を楽音や音声で鳴らせ、自発的に自ら所望する楽曲を演奏し、かつ歌うこともでき、機能を回復させることができる技術が、特許文献１に記載されている。
【特許文献１】特開平０９−０４７５１０号公報
【発明の開示】
【発明が解決しようとする課題】
【０００３】
しかしながら、上記の如く従来の音楽療法具は、自発的に自ら所望する歌曲を演奏し、かつ歌うことで脳機能を回復させる療法であるため、大脳の言語機能に関与する部位に障害が生じ、言語に対しての理解あるいは言葉を出す機能が失われた状態である失語症には効果的な療養とは言い難い。失語症は、欠損した機能を、繰返し長期間の訓練を行うことで少しずつ良くなるため、言語聴覚士（言葉や聞こえなど、コミュニケーションに障害のある方や周囲の方々に対して、医師・看護師・理学療法士・作業療法士・教育関係者・療育関係者などと連携をとりながら、相談・評価・訓練・指導などの専門的な援助を行う人）が症状や環境等に合わせたプログラムを作り、言語訓練を行う必要がある。しかし、言語聴覚士や言語訓練を実施している病院（あるいはリハビリテーションセンター）が少なかったり、言語訓練に通う病院が遠かったり、あるいは長期間にわたる言語訓練であるため、言語訓練を受けていない多数の在宅者が存在しているという問題がある。
【０００４】
また、病院での言語訓練の時間は短く、言語訓練の不足を補うための自宅での練習が大部分を占める。言語訓練の不足を補う練習の一つに、磁気カードに録音された言葉を再生して聞き、真似して発音の練習を繰返すものがあるが、それでは失語症の練習者自身が発音を自己修正することは難しい。そのため、言語聴覚士の居ない環境であっても、言語聴覚士が居る環境と同様の言語訓練を行える練習支援装置の提供が望まれていた。
【０００５】
更に、失語症の種類や程度は千差万別であり、失語症の程度によってはパーソナルコンピュータ（以下パソコンと省略する）の立ち上げやマウスを用いた指示などの複雑な操作や、パソコンやソフトウェアの操作手順の認識は困難になるため、失語症の症状が重度の患者であっても操作性が容易で、かつ認識もし易い練習支援装置の提供も望まれていた。
【０００６】
更に、失語症の練習者が発声した絵カードの発音を直ぐに練習者自身で確認できる練習支援装置の提供も望まれていた。
【０００７】
更に、失語症の程度に合わせて複数の練習メニューから適した練習メニューを選択して言語訓練が行える練習支援装置の提供も望まれていた。
【課題を解決するための手段】
【０００８】
本発明は、上述した問題点に鑑みて為されたものであり、少なくとも絵データ、手本音声データ、文字データ、グループ属性データ、結果データとから成る複数の失語症の言語訓練の言語カードデータを管理する言語カードデータベースと、前記文字データが文字数単位で分類された一覧から所望の文字数を選択する文字数選択手段と、前記文字数単位に分類された前記文字データを更にグループ単位で分割した一覧から所望のグループを選択するグループ選択手段と、選択された前記グループに属する前記失語症の言語訓練の言語カードデータを前記言語カードデータベースより抽出し、表示部に前記絵データを表示する言語カード抽出表示手段と、集音部の電源をＯＮにする音声検知起動手段と、表示された前記絵データに基づき失語症の練習者が発声する練習音声の音量を前記表示部にレベルメータ表示しながら前記失語症の練習者の練習音声を録音する練習音声録音手段と、前記失語症の練習者の練習音声のデータと前記手本音声データとを比較し、予め設定した合否判定の基準値内であるかを判定し、その判定結果を表示部に表示する判定結果表示手段と、前記失語症の練習者の練習音声と前記判定結果を前記失語症の言語訓練の言語カードデータに対応させて前記結果データに保存する練習音声結果保存手段とを有することで解決するものである。
【０００９】
また、本発明では、前記言語カード抽出表示手段の後に、前記絵データに対応する前記文字データあるいは前記手本音声データを失語症の練習者にヒントとして出力するヒント出力手段が行われることを特徴とする。
【００１０】
更に、本発明では、前記判定結果表示手段の後に、前記練習音声録音手段で録音した前記失語症の練習者の練習音声のデータを再生させる練習音声再生手段が行われることを特徴とする。
【００１１】
更に、本発明では、前記表示部上にタッチパネルを設け、画面から直接前記文字数選択手段、前記グループ選択手段、前記音声検知起動手段、前記練習音声録音手段、前記ヒント出力手段、および前記練習音声再生手段に指示を与えられることを特徴とする。
【００１２】
更に、本発明では、前記判定結果表示手段は、前記失語症の言語訓練の言語カードデータ毎に合格した回数および練習した回数を前記表示部に並べて表示することを特徴とする。
【００１３】
更に、本発明では、前記判定結果表示手段は、前記言語カード抽出表示手段により言語訓練に一度利用した前記失語症の言語訓練の言語カードデータが再度抽出されると、前回の言語訓練の結果を前記言語カードデータベースより抽出して前記表示部に表示することを特徴とする。
【００１４】
更に、本発明では、前記言語カードデータベースの全ての言語カードデータあるいは前記グループ単位毎の言語カードデータの前記結果データに保存された前記失語症の練習者の練習音声のデータ及び前記判定結果は、前記タッチパネルを２回押下して一括リセットを指示できることを特徴とする。
【００１５】
更に、本発明では、前記ヒント出力手段により与えられる前記文字データは、失語症の練習者の指示により漢字あるいは片仮名表示から平仮名表示へと変換をして表示されることを特徴とする。
【発明の効果】
【００１６】
上述したように、本発明の失語症練習支援装置は、絵データ、手本音声データ等から成る言語カードデータベースにグループ属性データを有することで、失語症の練習者が所望のグループを選択でき、言語カード抽出表示手段で選択したグループに属する言語カードデータを抽出して表示部に絵データを表示し、練習音声録音手段で失語症の練習者の練習音声を録音して手本音声データと比較した合否判定の判定結果を表示部に表示することにより、言語聴覚士の居ない環境であっても失語症の練習者が選択しやすく、言語聴覚士による言語訓練と同様の練習を支援することができる。
【００１７】
これにより、言語カードデータを文字データの文字数単位に分類し、更に文字数毎に複数のグループ単位に分割した練習メニューを作成するので、練習者の失語症の程度や症状あるいは言語訓練の難易度に応じて所望のグループを失語症の練習者自身で自由に選択することや、失語症の練習者の練習音声のデータや判定結果を言語カードデータベースに保存するので練習者自身あるいは言語聴覚士等の第３者が後から練習成果を確認することができる。
【００１８】
また、失語症の練習者が表示部に表示された言語カードデータの絵データを理解できない場合には、絵データに対応する文字データを仮名表記や漢字表記で表示したり、あるいは絵データに対応する手本音声データをスピーカーから出力して、失語症の練習者に絵データのヒントを与えることができる。これにより、失語症の練習者は状況に応じたヒントを取得し、単語が自然と認識できるようになるまで練習できる。
【００１９】
更に、失語症の練習者の練習音声を確認したい場合には、練習音声再生手段により練習音声のデータを再生することができる。これにより、失語症の練習者が録音された練習音声のデータを直ぐに確認し、発音を正しく自己修正することができる。
【００２０】
更に、失語症練習支援装置の表示部上にタッチパネルを設けることにより、失語症の練習者もタッチパネルの該当箇所を直接押下することで容易に各手段に指示を与えることができる。これにより、失語症の程度が重度の患者であっても操作性が容易となり、かつ複雑な操作が不要となるので操作手順の認識も容易な失語症練習支援装置を提供できる。
【００２１】
更に、言語カードデータベースに言語カードデータ毎の結果データの項目を設けることにより、失語症の練習者の合格した回数や総練習回数を保存することができる。これにより、判定結果表示手段で表示部の一部に判定結果を表示でき、失語症の練習者は視覚的にも言語訓練の練習結果を認識できるので、練習の励みにも繋がる可能性がある。
【００２２】
更に、言語カードデータベースの結果データに保存された失語症の練習者の練習音声のデータや判定結果は、タッチパネルを２回押下する操作で一括リセットを指示できる。これにより、失語症により認知レベルが低度の練習者であっても容易に操作をすることができる。
【００２３】
更に、ヒント出力手段で与える文字データは漢字表記あるいは片仮名表記から平仮名表記へ変換できる。これにより、理解し易い表記が失語症の練習者によって異なるので、漢字表記や片仮名表記のほうが理解しやすい失語症の練習者や、平仮名表記のほうが理解しやすい失語症の練習者にそれぞれ対応できる失語症練習支援装置を提供できる。
【発明を実施するための最良の形態】
【００２４】
以下に、本発明の一実施の形態について、図１乃至図５を参照にして詳細に説明する。
【００２５】
まず、図１は、本発明の一実施の形態における言語訓練を行う処理のブロック図である。
【００２６】
図１に示すごとく、失語症練習支援装置１における言語訓練を行う処理は、言語カードデータベース１０、文字数選択手段１１、グループ選択手段１２、言語カード抽出表示手段１３、ヒント出力手段１４、音声検知起動手段１５、練習音声録音手段１６、判定結果表示手段１７、練習音声再生手段１８、練習音声結果保存手段１９とから構成される。
【００２７】
失語症練習支援装置１とは、持ち運び可能な言語訓練に利用されるコンピュータ装置をいう。具体的には、後述の手段を搭載したPersonal Digital Assistants（以下、ＰＤＡと省略する）である。
【００２８】
ＰＤＡは少なくとも第１の入力部、集音部、表示部（この場合は、タッチパネル）、記憶部、演算部、出力部（この場合はスピーカー）とを有する。第１の入力部は、指あるいは専用のペンである。集音部は、音声を電気信号に変える装置であり、具体的にはマイクである。表示部はタッチパネルである。記憶部は、コンピュータ内のデータやプログラムを記憶する装置である。演算部は、コンピュータの中で装置や各手段の制御、データの計算や加工を行う中枢部である。また演算部は、記憶部のプログラムを実行する装置でもあり、第１の入力部や記憶部からデータを受け取り、演算や加工をした上で、出力部や表示部に出力をする。出力部は、電気信号を音に変える装置であり、具体的にはスピーカーである。
【００２９】
言語カードデータベース１０とは、言語訓練で利用される言語カードデータを文字数単位に分類し、更に文字数毎に複数のグループに分割して管理するデータベースである。言語カードデータとは、単語に応じて描画された絵からなる言語カードに、音情報や文書情報を付加して電子データ化したものである。
【００３０】
具体的には、言語カードデータベース１０は絵データ、手本音声データ、文字データ、グループ属性データ、結果データ等の集合である。絵データは動物、生活用品、あるいはあいさつ等に関する事柄を描画したデータであり、手本音声データは絵データに応じた単語を正しく発音した音声データであり、文字データは絵データに応じた単語を平仮名、片仮名あるいは漢字で表記したデータである。グループ属性データは言語カードデータがそれぞれどのグループに分類されるかを表したデータで、結果データは言語カードデータに応じた失語症の練習者の練習音声や、失語症の練習者の練習回数あるいは合格回数のデータを保存するエリアである。
【００３１】
文字数選択手段１１とは、失語症練習支援装置１の表示部に表示された言語カードデータの文字数単位の一覧から、失語症の練習者に所望の文字数を選択させる手段である。具体的には、単語２文字、単語３文字、単語４文字等と単語の文字数を表した一覧が表示部に表示され、失語症の練習者は所望の単語数が表示されたエリアを指で押下して選択する。尚、表示部上にはタッチパネルが設けられているので、練習者は直接表示部をタッチすることで容易に指示ができる。
【００３２】
グループ選択手段１２とは、表示部に表示された言語カードデータのグループ単位の一覧から、失語症の練習者に所望のグループを選択させる手段である。グループ単位の一覧とは、文字数単位に分類された言語カードデータを、更に複数のグループに分割したものである。具体的には、単語２文字に分類された言語カードデータの場合は、２文字（１）、２文字（２）、２文字（３）等とグループの一覧が表示部に表示され、失語症の練習者は所望のグループが表示されたエリアを指で押下して選択する。尚、表示部上はタッチパネルのため、直接表示部をタッチして容易に指示ができる。
【００３３】
言語カード抽出表示手段１３とは、グループ選択手段１２で選択されたグループに属する言語カードデータを言語カードデータベース１０より抽出し、言語カードデータの絵データを表示部に表示する手段である。
【００３４】
ヒント出力手段１４は、失語症の練習者が言語カード抽出表示手段１３で表示された絵データを理解できない場合に行われる手段であり、失語症の練習者の指示により、絵データに応じた文字データあるいは手本音声データを出力する手段である。具体的には、絵データに対応する文字データを仮名表記や漢字表記で表示したり、あるいは絵データに対応する文字データの手本音声データをスピーカーから出力する。尚、失語症の練習者がヒント不要の場合には、この処理は省略される。
【００３５】
音声検知起動手段１５とは、失語症練習支援装置１の集音部をＯＮにする手段であり、集音部が起動された後は集音部で検知した音声データを表示部にレベルメータで表示する。具体的には、表示部に設けられた集音部のＯＮ／ＯＦＦエリアはタッチパネルになっており、直接表示部を指で押下する。集音部が起動されると表示部に顔のマークを表示して練習者に視覚的にも検知させ、もう一度該エリアを指で押下すると集音部の電源は切れ表示部の顔のマークは非表示になる。
【００３６】
練習音声録音手段１６とは、失語症の練習者が集音部に向けて発声した練習音声の音量のレベルメータを表示部に表示しながら、記憶部に録音する手段である。具体的には、集音部のＯＮ／ＯＦＦエリアがレベルメータの表示部となり、集音部が検知した音量のレベルを表示する。
【００３７】
判定結果表示手段１７とは、練習音声録音手段１６で録音した練習音声のデータと、言語カードデータベース１０に含まれる手本音声データとを比較し、練習音声のデータが正しい音声データと同じであるかを判定して、同じと判定された場合には練習画面に合格の表示を行い、不同と判定された場合には練習画面に不合格の表示を行い、失語症の練習者に単語が正しく、かつ発音が正確に為されたかを知らせる手段である。また、表示部の一部に表示される「合格した回数／総練習回数」の回数に合否判定の結果を反映させて表示する手段でもある。前述の練習音声録音手段１６と同様に、合否判定の結果は記憶部に保存される。
【００３８】
具体的には、絵データ（この場合は、「うし」とする）における失語症の練習者の練習音声のデータと手本音声データの周波数スペクトルとレベルを、それぞれパラメータとした特徴ベクトルであらわし、各音素単位で特徴ベクトルを比較する。両者の相違度合が、合格の基準値（この場合は、２０とする）未満であれば同じ音素と判定し、相違度合を数値に換算する（この場合は、「う」の相違度合が５、「し」の相違度合が１０とする）。そして、各音素の相違度合の合計値（この場合は、５＋１０＝１５）が言語カードデータに含まれる合格基準値（この場合は、２０とする）の点数より低い場合には合格となり、高い場合には不合格と判定される（この場合は、１５＜２０なので合格）。そして、合格の場合には後述する図３（Ｃ）に示す顔を練習画面に表示し、不合格の場合には後述する図３（Ｄ）に示す顔を練習画面に表示する。この場合は合格と判定されたので図３（Ｃ）に示す顔が表示される。そして、後述する図３（Ａ）に示す画面左上部に表示される「合格した回数／総練習回数」の合格した回数が「０→１」へとカウントアップされて表示される。
【００３９】
練習音声再生手段１８とは、失語症の練習者が練習音声のデータを確認したい場合に行われる手段であり、失語症の練習者の指示により、練習音声録音手段１６で録音した失語症の練習者の練習音声のデータをスピーカーから出力する手段である。尚、失語症の練習者が練習音声のデータを確認しない場合には、この処理は省略される。
【００４０】
練習音声結果保存手段１９とは、選択したグループの言語訓練が終了した時点に行われる手段であり、記憶部に保存された練習音声のデータ及び判定結果を練習結果として言語カードデータベース１０の結果データに保存する手段である。
【００４１】
次に、図２は本発明の一実施の形態における文字数選択手段により表示される言語訓練の画面の一例である。
【００４２】
図２に示すごとく、文字数選択画面１１０は、文字数一覧表示エリア１１１、ランダム選択エリア１１２と、複文一覧表示エリア１１３とから構成される。
【００４３】
文字数一覧表示エリア１１１は、言語カードデータベース１０の文字データを文字数で分類した一覧を表示するエリアである。具体的には、単語２文字、単語３文字（１）、単語３文字（２）等と表示される。
【００４４】
ランダム選択エリア１１２は、文字数やグループに関係なくランダムに１０枚の言語カードデータを選択し、言語カード抽出表示手段１３により言語カードデータベース１０から抽出して練習メニューを生成した後、言語訓練を起動させるエリアである。尚、失語症の練習者がランダム選択エリア１１２のエリアを押下する都度、１０枚の言語カードデータは選択され抽出される。
【００４５】
複文一覧表示エリア１１３は、言語カードデータベース１０の複文から成る文字データで分類した一覧を表示するエリアである。複文とは、複数の単語を組み合わせて生成した文であり、具体的には、２語文、３語文と表示される。
【００４６】
尚、文字数一覧表示エリア１１１および複文一覧表示エリア１１３を選択した場合は、後述のグループ選択画面１２０へと進む。
【００４７】
次に、図３（Ａ）は本発明の一実施の形態におけるグループ選択手段により表示される言語訓練の画面の一例であり、図３（Ｂ）はリセットを確認する画面の一例である。
【００４８】
図３（Ａ）に示すごとく、グループ選択画面１２０は、グループ一覧表示エリア１２１、リセットボタン１２２、終了ボタン１２３とから構成される。
【００４９】
グループ一覧表示エリア１２１は、文字数に分類された言語カードデータを更にグループ単位に分割した一覧が表示されるエリアである。具体的には、文字数選択手段１１で単語２文字を選択した場合、表示部には２文字（１）（この場合は、単語２文字のグループ１という意味）、２文字（２）、２文字（３）等と表示される。
【００５０】
リセットボタン１２２は、言語カードデータベース１０の結果データに保存された練習音声のデータと判定結果のデータをリセットするボタンである。具体的には、言語カードデータベース１０内の全言語カードデータを対象とした全リセットボタン１２２ａと、言語カードデータベース１０のグループ単位を対象としたグループリセットボタン１２２ｂとがある。失語症の練習者が全リセットボタン１２２ａあるいはグループリセットボタン１２２ｂを押下すると、図３（Ｂ）に示すごとく、リセットを実行してよいか否かを確認する画面が表示部に表示されるので、実行をして良い場合は「はい」を選択し、実行をしない場合は「いいえ」を選択する。このように失語症の練習者は表示部上のタッチパネルを２回押下するだけで言語カードデータベース１０の結果データを消去することができるので、失語症の程度が重度の練習者であっても容易に操作が行える。
【００５１】
終了ボタン１２３は、言語訓練を終了させるボタンである。具体的には、終了ボタン１２３の押下により、言語訓練を終了してよいか否かを確認する画面が表示部に表示されるので（図示せず）、言語訓練を終了する場合は「はい」を選択し、言語訓練を続ける場合は「いいえ」を選択する。
【００５２】
尚、ＰＤＡに設けられた決定ボタン１２４を押下した場合は、１つ前の文字数選択画面１１０（図２参照）が展開される。この時、文字数選択手段１１で選択した文字数一覧表示エリア１１１を認識できるように、色を変えて押下された状態（この場合は、単語２文字が選択された状態）を記憶しておき、表示させてもよい。
【００５３】
次に、図４（Ａ）は本発明の一実施の形態における練習画面の一例を表した図であり、図４（Ｂ）は練習画面のレベルメータが表示された状態の一例であり、図４（Ｃ）は判定結果が合格の場合を表示した状態の一例であり、図４（Ｄ）は判定結果が不合格の場合を表示した状態の一例である。尚、ここでは言語カードデータの「牛」が表示された場合を例に説明する。
【００５４】
図４（Ａ）に示すごとく、練習画面１３０は、絵データ表示エリア１３１、音声認識・結果表示エリア１３２、文字データ表示エリア１３３、話すボタン１３４、確認ボタン１３５、前へスクロールするボタン１３６ａ、後ろへスクロールするボタン１３６ｂとから構成される。
【００５５】
絵データ表示エリア１３１は、言語カードデータに応じた絵データを表示するエリアである。具体的には、図示したように「牛」の絵が表示される。なお、絵データ表示エリア１３１内のタッチパネルを押下すると、ヒント出力手段１４により表示されていた絵データの手本音声データが言語カードデータベース１０から抽出されスピーカーより再生される。また、絵データ表示エリア１３１の一部（この場合は、左上部）には合格した回数／総練習回数（この場合は、合格した回数が１回で、総練習回数が４回）が表示される。尚、次回同じ絵データを表示した場合には、言語データベース１の結果データのエリアが抽出されて前回の判定結果である合格した回数と総練習回数が表示される。
【００５６】
音声認識・結果表示エリア１３２は、集音部をＯＮに起動させるエリアで、該エリア内のタッチパネルを押下すると集音部が起動されて該エリアには顔文字が表示される。そして、練習音声録音手段１６により録音の指示がされた後は、図４（Ｂ）に示すごとく、集音部が検知した音のレベルメータを表示するエリアに変わる。更に、判定結果表示手段１７により練習音声のデータの合否が判定された後は、合否判定の結果を表示するエリアに変わる。具体的には、合格の場合は図４（Ｃ）に示すような顔文字が表示され、不合格の場合には図４（Ｄ）に示すような顔文字が表示される。尚、音声認識・結果表示エリア１３２をもう一度押下すると集音部はＯＦＦになり、顔文字は非表示となる。
【００５７】
文字データ表示エリア１３３は、絵データに対応する文字データを表示するエリアであり、該エリア内のタッチパネルを押下するとヒント出力手段１４により文字データが表示される。具体的には、一度目の押下により「牛」と漢字表示され、続いて一度押下すると「うし」と平仮名で表示され、もう一度押下すると何も表示されないブランクの画面となる。失語症の練習者が文字データ表示エリア１３３を押下するごとに、漢字表記→平仮名表記→ブランク→漢字表記→・・・と繰り返えされる。尚、漢字表記がない絵データの場合には、片仮名が表記される。
【００５８】
話すボタン１３４は、集音部で録音を開始するボタンである。具体的には、話すボタン１３４を押下すると、練習音声録音手段１６が起動され失語症の練習者が集音部に向けて発声した練習音声のデータが入力され、録音される。そして、音量に応じたレベルメータが表示される。
【００５９】
確認ボタン１３５は、録音した失語症の練習者の練習音声をスピーカーから再生させるボタンである。具体的には、確認ボタン１３５を押下すると、練習音声再生手段１８が起動され記憶部に保存した練習音声のデータを呼び出してスピーカーから出力される。
【００６０】
スクロールボタン１３６は、前後の言語カードデータへ移動させるボタンである。具体的には、前へスクロールするボタン１３６ａと、後へスクロールするボタン１３６ｂとがあり、失語症の練習者は表示部の該エリア内のタッチパネルを押下することで簡単に指示できる。
【００６１】
終了ボタンは、言語訓練を終了するボタンである。具体的には、終了ボタンを１回押下すると図３（Ａ）のグループ選択画面１２０へと戻る。この時、グループ選択手段１２で選択したグループ一覧表示エリア１２１を認識できるように、色を変えて押下された状態（この場合は、２文字（１）が選択された状態）を記憶しておき、表示させてもよい。更に終了ボタンを１回押下すると図２の文字数選択画面１１０へと戻る。
【００６２】
最後に、図５は本発明の一実施の形態における言語訓練の処理フロー図である。
【００６３】
まず、文字数選択手段１１で言語訓練を行う言語カードデータの文字数を文字数一覧表示エリア１１１より選択し（ステップＳ１）、続いてグループ選択手段１２でグループ一覧表示エリア１２１より所望のグループを１つ選択する（ステップＳ２）。
【００６４】
そして、言語カード抽出表示手段１３で選択されたグループに属する言語カードデータを言語カードデータベース１０より抽出し、失語症練習支援装置１の練習画面１３０に絵データを表示する（ステップＳ３）。
【００６５】
次に、絵データに関するヒントを取得するか否かの判断（ステップＳ４）が行われる。失語症の練習者が絵データの単語を思い出せない場合には（ステップ４のＹＥＳ）、絵データ表示エリア１３１のタッチパネルを押下する（ＳＷ＝絵データ）、あるいは文字データ表示エリア１３３のタッチパネルを押下する（ＳＷ＝文字データ）ことにより以下の処理が行われる。
【００６６】
〔ＳＷ＝絵データの場合〕
絵データ表示エリア１３１のタッチパネルが押下されると、ヒント出力手段１４により絵データに対応した手本音声データが言語カードデータベース１０より抽出されスピーカーより出力される（ステップＳ５）。
【００６７】
〔ＳＷ＝文字データの場合〕
文字データ表示エリア１３３のタッチパネルが押下されると、ヒント出力手段１４により絵データに対応した文字データが言語カードデータベース１０より抽出され、該エリアに表示される（ステップＳ６）。
【００６８】
一方、失語症の練習者が絵データの単語が分かる場合には（ステップ４のＮＯ）、ヒント出力手段１４は起動されず後続の処理へと進む。
【００６９】
次に、音声検知起動手段１５により集音部の音声検知がＯＮにされ（ステップＳ７）、練習音声録音手段１６により失語症の練習者の練習音声のデータの録音を開始して、集音部で検知した音量をレベルメータで表示する（ステップＳ８）。そして、判定結果表示手段１７により練習音声のデータと手本音声データとを比較して合否を判定し、その判定結果が音声認識・結果表示エリア１３２に表示される（ステップＳ９）。そして、練習音声結果保存手段１９により練習結果データが記憶部に保存される（ステップＳ１０）。
【００７０】
次に、録音した練習音声を確認するか否かの判断が行われ（ステップＳ１１）、練習音声を確認する場合には（ステップＳ１１のＹＥＳ）、練習音声再生手段１８により練習音声のデータが呼び出され、スピーカーより出力される（ステップＳ１２）。一方、練習音声を確認しない場合には（ステップＳ１１のＮＯ）、後続の処理へと進む。
【００７１】
最後に、言語訓練を続けるか否かの判断が行われる（ステップＳ１３）。言語訓練を続ける場合には（ステップＳ１３のＹＥＳ）、失語症の練習者の各ボタン操作に応じて以下の処理が行われる。
【００７２】
〔ＳＷ＝スクロールボタン１３６を押下した場合〕
スクロールボタン１３６、具体的には前へスクロールするボタン１３６ａ、あるいは後へスクロールするボタン１３６ｂを押下して言語カードデータを前後にスクロールし、所望の言語カードデータを選択する（ステップＳ１４）。そして、処理はステップＳ３の直前へと戻り、練習画面１３０が表示され、後続の処理が再び行われる。
【００７３】
〔ＳＷ＝終了ボタンを１回押下した場合〕
１つ上位の画面であるグループ選択画面１２０（図３（Ａ）参照）を表示し、処理はステップＳ２の直前へと戻り、後続の処理が再び行われる。
【００７４】
〔ＳＷ＝終了ボタンを２回押下した場合〕
２つ上位の画面である文字数選択画面１１０（図２参照）を表示し、処理はステップＳ１の直前へと戻り、後続の処理が再び行われる。
【００７５】
一方、言語訓練を続けない場合には（ステップＳ１３のＮＯ）、記憶部に保存された練習結果のデータが言語カードデータに対応して言語カードデータベース１０に保存される（ステップＳ１５）。そして、全ての言語訓練の処理が終了する。
【図面の簡単な説明】
【００７６】
【図１】本発明の一実施の形態における失語症練習支援装置の言語訓練を行う各手段を表したブロック図である。
【図２】本発明の一実施の形態における文字数選択手段により表示される言語訓練の画面の一例である。
【図３】（Ａ）〜（Ｂ）は、本発明の一実施の形態におけるグループ選択手段により表示される言語訓練の画面の一例である。
【図４】（Ａ）〜（Ｄ）は、本発明の一実施の形態における練習画面の一例を表した図である。
【図５】本発明の一実施の形態における言語訓練を行う処理のフロー図である。
【符号の説明】
【００７７】
１    失語症練習支援装置
１０    言語カードデータベース
１１    文字数選択手段
１２    グループ選択手段
１３    言語カード抽出表示手段
１４    ヒント出力手段
１５    音声検知起動手段
１６    練習音声録音手段
１７    判定結果表示手段
１８    練習音声再生手段
１９    練習音声結果保存手段
１１０    文字数選択画面
１２０    グループ選択画面
１３０    練習画面
【図１】
2008298933.tif 000003
【図２】
2008298933.tif 000004
【図３】
2008298933.tif 000005
【図４】
2008298933.tif 000006
【図５】
2008298933.tif 000007
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
少なくとも絵データ、前記絵データの単語に対応する手本音声データ、前記絵データの単語に対応する文字データ、前記絵データの単語に対応するグループ属性データ、前記絵データの単語に対応する結果データとから成る複数の失語症の言語訓練の言語カードデータを管理する言語カードデータベースと、
複数の前記文字データが文字数単位で分類された一覧から所望の文字数を選択する文字数選択手段と、
前記文字数単位に分類された前記文字データを更にグループ単位で分割した一覧から所望のグループを選択するグループ選択手段と、
選択された前記グループに属する前記失語症の言語訓練の言語カードデータを前記言語カードデータベースより抽出し、表示部に前記絵データを表示する言語カード抽出表示手段と、
集音部の電源をＯＮにする音声検知起動手段と、
表示された前記絵データに基づき失語症の練習者が発声する前記絵データの単語に対応する練習音声の音量を前記表示部にレベルメータ表示しながら、前記失語症の練習者の前記絵データの単語に対応する練習音声を記憶部に録音する練習音声録音手段と、
前記失語症の練習者の前記絵データの単語に対応する練習音声のデータと前記絵データの単語に対応する各音素単位で比較し、予め設定した合否判定の基準値内であるかを判定し、その判定結果を前記記憶部に保存すると共に表示部に表示する判定結果表示手段と、
前記記憶部に保存された前記失語症の練習者の練習音声と前記判定結果を前記失語症の言語訓練の言語カードデータの前記絵データに対応させて、前記言語カードデータベースの前記結果データに保存する練習音声結果保存手段とからなり、
選択された前記グループの前記失語症の言語訓練の言語カードデータを前記言語カード抽出表示手段で抽出して前記絵データを表示し、前記絵データに基づく前記失語症の練習者の前記絵データの単語に対応する練習音声を録音し、前記絵データの単語に対応する練習音声のデータが合否判定の基準値内であるかを判定し、前記判定結果を表示して失語症の練習者に前記合否判定を知らせることを特徴とする失語症練習支援装置。
【請求項２】
前記言語カード抽出表示手段の後に、前記絵データの単語に対応する前記文字データあるいは前記絵データの単語に対応する前記手本音声データを前記言語カードデータベースより抽出して、前記失語症の練習者に前記絵データの単語に対応するヒントとして前記文字データの表示あるいは前記手本音声データの出力をするヒント出力手段が行われることを特徴とする請求項１に記載の失語症練習支援装置。
【請求項３】
前記判定結果表示手段の後に、前記練習音声録音手段で録音した前記失語症の練習者の前記絵データの単語に対応する練習音声のデータを前記記憶部より呼び出して再生し、前記失語症の練習者に発音を自己修正させる練習音声再生手段が行われることを特徴とする請求項１に記載の失語症練習支援装置。
【請求項４】
前記表示部上にタッチパネルを設け、画面から直接前記文字数選択手段、前記グループ選択手段、前記音声検知起動手段、前記練習音声録音手段、前記ヒント出力手段、および前記練習音声再生手段に指示を与えられることを特徴とする請求項１乃至請求項３のいずれかに記載の失語症練習支援装置。